(57)【要約】【課題】従来、医療スタッフは、ベッドサイド端末を利用して、患者に関する診療情報の参照又は更新をしていた。しかしながら、当該患者のベッドサイド端末で、他の患者に関する診療情報の参照又は更新も出来るものであり、第三者に当該患者の診療情報を見られてしまう虞がある。【解決手段】医療スタッフが患者のベッドサイドに備えたベッドサイド端末で電子カルテアプリケーションを利用する際、当該患者に関する診療情報のみ参照や更新をする事の出来る医療情報システムを提供する。【選択図】      図１
2005275607.tif 000002
【特許請求の範囲】
【請求項１】
患者の診療情報を記憶する電子カルテデータベースを備えた電子カルテサーバと、当該診療情報の参照又は更新をする電子カルテアプリケーションを備えたベッドサイド端末とをネットワークで接続した医療情報システムにおいて、
前記ベッドサイド端末と前記患者とを対応付けて記憶したベッドサイド端末情報記憶部と、
前記ベッドサイド端末情報記憶部を参照して、ベッドサイド端末に対応する患者を特定するベッドサイド端末識別手段と、
前記患者に対応する診療情報を前記電子カルテデータベースから取得するカルテ情報取得手段と、
当該診療情報に基づき前記電子カルテアプリケーションを起動するベッドサイド端末制御手段と、
を備えた事を特徴とする医療情報システム。
【請求項２】
患者の診療情報を記憶する電子カルテデータベースを備えた電子カルテサーバと、前記患者の診療情報の参照又は更新をする第一の電子カルテアプリケーションを備えたベッドサイド端末と、前記患者の診療情報の参照又は更新をする第二の電子カルテアプリケーションを備えた情報処理端末とをネットワークで接続した医療情報システムにおいて、
前記情報処理端末は、
前記第二の電子カルテアプリケーションで前記患者の診療情報を参照又は更新している際の状態情報を前記電子カルテサーバに送出する状態情報登録処理手段を備え、
前記電子カルテサーバは、
前記患者毎に前記状態情報を記憶する状態情報記憶部と、
ベッドサイド端末と患者とを対応付けて記憶したベッドサイド端末情報記憶部と、
前記状態情報を前記情報処理端末から受信し、当該状態情報を前記状態情報記憶部に格納する状態情報受信処理手段と、
前記ベッドサイド端末情報記憶部を参照して、前記ベッドサイド端末に対応する患者を特定するベッドサイド端末識別手段と、
前記患者に対応する状態情報を前記状態情報記憶部から取得し、前記ベッドサイド端末に送出する状態情報取得手段とを備え、
前記ベッドサイド端末は、
前記状態情報を前記電子カルテサーバから受信し、当該状態情報に基づき前記第一の電子カルテアプリケーションを起動するベッドサイド端末制御手段を備える事を特徴とする医療情報システム。
【請求項３】
患者の診療情報を記憶する電子カルテデータベースを備えた電子カルテサーバと、前記患者の診療情報の参照又は更新をする第一の電子カルテアプリケーションを備えた情報処理端末とをネットワークで接続された医療情報システムにおける前記患者の診療情報の参照又は更新をする第二の電子カルテアプリケーションを備えたベッドサイド端末であって、
前記第一の電子カルテアプリケーションで前記患者の診療情報を参照又は更新している際の状態情報を前記電子カルテサーバから受信し、当該状態情報に基づき前記第二の電子カルテアプリケーションを起動するベッドサイド端末制御手段を備える事を特徴とする医療システムにおけるベッドサイド端末。
【請求項４】
前記患者の診療情報の参照又は更新をする第一の電子カルテアプリケーションを備えたベッドサイド端末と、前記患者の診療情報の参照又は更新をする第二の電子カルテアプリケーションを備えた情報処理端末とをネットワークで接続した医療情報システムにおける患者の診療情報を記憶する電子カルテデータベースを備えた電子カルテサーバであって、
前記第二の電子カルテアプリケーションで前記患者の診療情報を参照又は更新している際の状態情報を前記患者毎に記憶する状態情報記憶部と、
前記状態情報を前記情報処理端末から受信し、当該状態情報を前記状態情報記憶部に格納する状態情報受信処理手段と、
ベッドサイド端末と患者とを対応付けて記憶したベッドサイド端末情報記憶部と、
前記ベッドサイド端末情報記憶部を参照して、前記ベッドサイド端末に対応する患者を特定するベッドサイド端末識別手段と、
前記特定した患者に対応する状態情報を前記状態情報記憶部から取得し、前記ベッドサイド端末に送出する状態情報取得手段と、
を備える事を特徴とする医療システムにおける電子カルテサーバ。
【請求項５】
患者の診療情報を記憶する電子カルテデータベースを備えた電子カルテサーバとネットワークで接続された医療情報システムにおけるベッドサイド端末の電子カルテアプリケーション起動方法であって、
ベッドサイド端末と患者とを対応付けて記憶したベッドサイド端末情報記憶部を備え、
前記ベッドサイド端末情報記憶部を参照して、ベッドサイド端末に対応する患者を特定するステップと、
前記患者に対応する診療情報を前記電子カルテデータベースから取得するステップと、
当該診療情報に基づき前記電子カルテアプリケーションを起動するステップと、
を実行する事を特徴とする医療情報システムにおけるベッドサイド端末の電子カルテアプリケーション起動方法。
【発明の詳細な説明】
【技術分野】
【０００１】
本発明は、患者に関する診療情報の参照又は更新をする電子カルテアプリケーションを含む医療情報システムに関する。特に、入院患者のベッドサイドで利用される電子カルテアプリケーションを備えたベッドサイド端末を含む医療情報システムに関する。
【背景技術】
【０００２】
近年、病院の入院患者へのアメニティ向上の為に、テレビ、ビデオ、テレビ電話、インターネットの利用、及び、診療に関する情報の提供等の出来るベッドサイド端末が開発されてきた。更に、医師、看護師等、医療スタッフは、入院患者のベッドサイドで、電子カルテデータを含む診療情報の参照や更新をする事が出来る。即ち、ベッドサイド端末を利用する事で、入院患者は、入院生活におけるアメニティを向上させる事が出来、医療スタッフは、診察内容を入院患者のベッドサイドで即座に医療情報システムに反映する事が出来る。
【０００３】
特許文献１には、ベッドサイド端末の操作者の資格に応じて、提供するコンテンツを異なるものにするベッドサイド情報システムが開示されている。例えば、操作者が入院患者であれば、患者向けの診療情報を操作者に提供し、操作者が医療スタッフであれば、医療スタッフ向け診療情報を操作者に提供する事が出来る。
【特許文献１】特開２０００−２８５１８１号公報
【発明の開示】
【発明が解決しようとする課題】
【０００４】
ところで、電子カルテアプリケーションを備えたベッドサイド端末を上記特許文献１のベッドサイド情報システムで用いた場合、医療スタッフであれば、電子カルテアプリケーションを利用して、診療情報の参照や更新を患者のベッドサイドでする事が可能となる。
【０００５】
例えば、複数の入院患者を収容する病室のある患者を診察する際、当該患者のベッドサイドに備えられたベッドサイド端末に医療スタッフとしてログオンし、電子カルテアプリケーションを利用して、当該患者に関する診療情報の参照や更新を行う。次に、当該患者の隣のベッドに入院している患者の診察をする場合、ログオンしているベッドサイド端末の電子カルテアプリケーションを利用して、隣の患者に関する診療情報の参照や更新をする。このように、診察対象となる患者のベッドサイド端末を利用して当該患者に関する診療情報の参照や更新をするのではなく、当初ログオンしたベッドサイド端末で、他の患者に関する診療情報の参照や更新がされる事がある。即ち、ベッドサイド端末の電子カルテアプリケーションでは、医療スタッフであれば、全ての患者に関する診療情報の参照や更新が出来てしまう。これは、医療スタッフであれば、何時でも何処でも患者に関する診療情報の参照や更新をする事を目的として、電子カルテアプリケーションの開発がなされてきたからである。しかしながら、第一の患者のベッドサイドで、第二の患者に関する診療情報の参照や更新をする場合、ベッドサイド端末は、第一の患者に近接した場所に設置されており、第二の患者の診療情報を第一の患者に見られてしまう虞がある。即ち、患者の診療情報を医療スタッフ以外の他人に見られてしまう。これは、情報漏洩、守秘義務違反につながり、患者のプライバシを守る事は出来ない。
【０００６】
また、医療スタッフは、入院患者の病室を訪問して診察する、所謂、回診をする際、ナースステーション、診察室等に設置された医療情報システムと接続されたワークステーションの電子カルテアプリケーションを利用して、診察予定である患者に関する診療情報、治療計画に基づく経過情報を予め確認している。そして、診察対象となる患者の経過情報に基づき、注目すべき検査歴データや指示すべき事項を検討し、回診を行う。回診先では、患者のベッドサイドに備えたベッドサイド端末の電子カルテアプリケーションを利用して、予め検討した事項に関する診療情報を参照し、指示すべき処方や検査等を入力して診療情報の更新をする。
【０００７】
しかしながら、医療スタッフが一度の回診で診察する患者は複数であり、予め検討した事項、即ち、診察対象となる患者の注目すべき検査歴データ等、を患者毎に記憶しておく必要がある。従って、医療スタッフは、患者のベッドサイド端末の電子カルテアプリケーションを利用して、患者に関する診療情報を参照しながら、予め検討した事項を思い出し、指示すべき処方や検査の入力をして診療情報の更新をする。このように、患者に関する診療情報の参照、処方や検査の指示等、診療情報の更新といった医療スタッフが患者のベッドサイド端末でする作業は、長時間かかってしまう。これは、診察に時間がかかるだけでなく、長時間患者に関する診療情報をベッドサイド端末に表示する為、他人に患者の診療情報を覗き見される虞がある。
【０００８】
本発明は、このような課題に鑑みなされたものであり、医療スタッフが患者のベッドサイドに備えたベッドサイド端末で電子カルテアプリケーションを利用する際、当該患者に関する診療情報のみ参照や更新をする事の出来る医療情報システムを提供する事を目的とする。また、医療スタッフがベッドサイドでの診察時に、回診予定の入院患者に関して事前に検討した事項を素早く想起する事の出来る医療情報システムを提供する事を目的とする。
【課題を解決するための手段】
【０００９】
上記の課題を解決する為に、患者のベッドサイド端末において、当該患者に関する診療情報のみ参照出来れば、他人に診療情報を見られる事を防ぐ事が出来る点に着目した。
【００１０】
即ち、本発明の医療情報システムは、患者の診療情報を記憶する電子カルテデータベースを備えた電子カルテサーバと、当該診療情報の参照又は更新をする電子カルテアプリケーションを備えたベッドサイド端末とをネットワークで接続した医療情報システムにおいて、前記ベッドサイド端末と前記患者とを対応付けて記憶したベッドサイド端末情報記憶部と、前記ベッドサイド端末情報記憶部を参照して、ベッドサイド端末に対応する患者を特定するベッドサイド端末識別手段と、前記患者に対応する診療情報を前記電子カルテデータベースから取得するカルテ情報取得手段と、当該診療情報に基づき前記電子カルテアプリケーションを起動するベッドサイド端末制御手段と、を備える事を特徴とする。
【００１１】
本発明は、上記のように、患者のベッドサイド端末では、当該患者に関する診療情報に限定して参照又は更新する事が出来る。従って、医療スタッフは、当該ベッドサイド端末を利用して、当該患者以外の診療情報を参照又は更新する事は出来ない。
【００１２】
また、本発明の医療情報システムは、患者の診療情報を記憶する電子カルテデータベースを備えた電子カルテサーバと、前記患者の診療情報の参照又は更新をする第一の電子カルテアプリケーションを備えたベッドサイド端末と、前記患者の診療情報の参照又は更新をする第二の電子カルテアプリケーションを備えた情報処理端末とをネットワークで接続した医療情報システムにおいて、前記情報処理端末は、前記第二の電子カルテアプリケーションで前記患者の診療情報を参照又は更新している際の状態情報を前記電子カルテサーバに送出する状態情報登録処理手段を備え、前記電子カルテサーバは、前記患者毎に前記状態情報を記憶する状態情報記憶部と、ベッドサイド端末と患者とを対応付けて記憶したベッドサイド端末情報記憶部と、前記状態情報を前記情報処理端末から受信し、当該状態情報を前記状態情報記憶部に格納する状態情報受信処理手段と、前記ベッドサイド端末情報記憶部を参照して、前記ベッドサイド端末に対応する患者を特定するベッドサイド端末識別手段と、前記患者に対応する状態情報を前記状態情報記憶部から取得し、前記ベッドサイド端末に送出する状態情報取得手段とを備え、前記ベッドサイド端末は、前記状態情報を前記電子カルテサーバから受信し、当該状態情報に基づき前記第一の電子カルテアプリケーションを起動するベッドサイド端末制御手段を備える事を特徴とする。
【００１３】
本発明は、上記のように、医師がナースステーションや診察室で行っていた電子カルテアプリケーションでの作業を引き続き患者のベッドサイド端末で、しかも当該患者の診療情報に係る作業に限定して行う事が出来る。従って、医療スタッフは、患者のベッドサイド端末の電子カルテアプリケーションを利用して当該患者の診療情報の参照又は更新する手間を大幅に短縮する事が出来、当該患者の診療情報を他人に見られる可能性を減らす事が出来る。
【発明の効果】
【００１４】
本発明の医療情報システムによれば、患者のベッドサイド端末では、当該患者に関する診療情報に限定して参照又は更新する事が出来る。従って、患者に関する診療情報を他人に見られる可能性を軽減する事が出来る。
【００１５】
また、医師がナースステーションや診察室で行っていた電子カルテアプリケーションでの作業を引き続き患者のベッドサイド端末で、しかも当該患者の診療情報に係る作業に限定して行う事が出来る。従って、医療スタッフは、患者のベッドサイド端末の電子カルテアプリケーションを利用して当該患者の診療情報の参照又は更新する手間を大幅に短縮する事が出来、当該患者の診療情報を他人に見られる可能性を減らす事が出来る。
【発明を実施するための最良の形態】
【００１６】
以下、本発明の実施例を図面に基づいて説明する。
【実施例１】
【００１７】
本発明の実施例に係る医療情報システムの処理態様を、図１乃至図５を用いて説明する。
【００１８】
図１は、本実施例に係る医療情報システムの概要を示す全体構成図である。
【００１９】
図１に示すように、本実施例に係る医療情報システムは、ベッドサイド端末１、ネットワーク２、電子カルテサーバ３で構成されている。
【００２０】
ベッドサイド端末１は、一般的なベッドサイド端末の事であり、ベッドサイド端末専用ハードウェアだけでなく、パーソナルコンピュータ、ノートパソコン、ＰＤＡ（Ｐｅｒｓｏｎａｌ  Ｄａｔａ  Ａｓｓｉｓｔａｎｔｓ）等、一般的な情報処理端末でも良い。また、図１に例示するように、ベッドサイド端末１は、ベッドサイド端末制御部４、電子カルテアプリケーション５を備えている。
【００２１】
ベッドサイド端末制御部４は、ベッドサイド端末１の識別子を取得し、電子カルテサーバ３に送信するものである。
【００２２】
電子カルテアプリケーション５は、患者に関する電子カルテデータを含む診療情報の参照又は更新をする為のアプリケーションである。ここで、電子カルテアプリケーション５は、ベッドサイド端末１専用のアプリケーションであっても良く、ナースステーション、診察室等で利用される医療情報システムのアプリケーションと同一のものを利用しても良く、患者に関する診療情報の参照又は更新が出来るものであれば、何でも良い。
【００２３】
ネットワーク２は、インターネット網、仮想閉域網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等、専用回線、公衆回線、無線、有線を問わず、各装置や端末が通信可能であれば、如何なる通信ネットワークでも良い。ベッドサイド端末１と電子カルテサーバ３とは、ネットワーク２を介して互いに通信可能となっている。
【００２４】
電子カルテサーバ３は、ベッドサイド端末識別部６、ベッドサイド端末情報記憶部７、カルテ情報取得部８、電子カルテデータベース９、カルテ情報送信部１０で構成されている。
【００２５】
ベッドサイド端末情報記憶部７は、ベッドサイド端末識別子に患者識別子を対応付けて記憶するものである。
【００２６】
ベッドサイド端末識別部６は、ベッドサイド端末１からベッドサイド端末識別子を受信し、当該ベッドサイド識別子に対応する患者識別子をベッドサイド端末情報記憶部７から取得するものである。
【００２７】
電子カルテデータベース９は、患者に関する電子カルテデータを含む診療情報を記憶するデータベースである。
【００２８】
カルテ情報取得部８は、ベッドサイド端末識別部６で取得した患者識別子に対応する診療情報を電子カルテデータベース９から取得するものである。
【００２９】
カルテ情報送信部１０は、カルテ情報取得部８で取得した診療情報をベッドサイド端末１に送信するものである。
【００３０】
次に、本実施例における医療情報システムの処理について説明をする。
【００３１】
本実施例では、医師が入院患者である「病院太郎」のベッドサイドに備えられたベッドサイド端末１を用いて、電子カルテアプリケーション５を利用する例を用いて説明をする。
【００３２】
図２は、医療情報システムの処理をフローチャートで示したものである。
【００３３】
ベッドサイド端末１の備える表示装置には、ベッドサイド端末制御部４の処理で、図３に例示するメニュー画面が表示される。
【００３４】
本実施例におけるメニュー画面は、患者向け診療情報ボタン、医療スタッフ向け診療情報ボタン、ＩＤ入力フィールド、及びＰＡＳＳＷＯＲＤ入力フィールドで構成されている。
【００３５】
患者向け診療情報ボタンは、入院患者のＩＤ及びＰＡＳＳＷＯＲＤでログインされた場合、「病院スタッフの紹介」、「診療予定」、「食事メニュー」、「経過情報」、「アンケート」等、患者向けの診療情報をベッドサイド端末１の表示装置に表示する処理を実行するものである。また、テレビ、ビデオ、インターネット等、の娯楽情報を患者に提供するものであっても良い。尚、患者向けの診療情報を参照する処理は、公知である為、説明を省略する。
【００３６】
医療スタッフ向け診療情報ボタンは、医療スタッフのＩＤ及びＰＡＳＳＷＯＲＤでログインされた場合、後述する図４に例示する医療スタッフ向け診療情報メニューをベッドサイド端末１の表示装置に表示する。
【００３７】
ＩＤ入力フィールド、及び、ＰＡＳＳＷＯＲＤ入力フィールドには、ベッドサイド端末１の操作者、即ち、患者又は医療スタッフのＩＤ、及び、ＰＡＳＳＷＯＲＤが入力されるフィールドであり、本フィールドにＩＤ、及び、ＰＡＳＳＷＯＲＤを入力すると、前述した患者向け診療情報ボタン、又は医療スタッフ向け診療情報ボタンの選択が可能となる。
【００３８】
医療スタッフ向け診療情報ボタンが選択され、入力されたＩＤ、及び、ＰＡＳＳＷＯＲＤが医療スタッフのものであるとベッドサイド端末制御部４で判断されると、図４に例示する医療スタッフ向け診療情報メニューをベッドサイド端末１の表示装置に表示する。
【００３９】
医療スタッフ向け診療情報メニューは、バイタルサイン照会ボタン、処方歴・病歴・検歴照会ボタン、及び、電子カルテアプリケーション起動ボタンで構成されている。本実施例における医療スタッフ向け診療情報メニューは、電子カルテアプリケーション起動ボタンさえ備えていれば良く、他のボタンは、公知のベッドサイドシステムで用いるボタン、例えば、クリニカルパス照会等、を用いても良い。また、本実施例では、患者に関わる人物を総称して医療スタッフとしているが、医師、看護師、等、職種毎に医療スタッフ向け診療メニューを異なるものにしても良い。例えば、看護師であれば、看護アプリケーション起動ボタン、セラピストであれば、リハビリアプリケーション起動ボタン等にしても良い。
【００４０】
バイタルサイン照会ボタン、及び、処方歴・病歴・検歴照会ボタンは、患者の診療情報を参照する処理を実行するものである。
【００４１】
電子カルテアプリケーション起動ボタンは、ナースステーション、診察室等で利用されている電子カルテアプリケーション、即ち、診療情報を参照又は更新する為に利用されるアプリケーションを起動するものである。
【００４２】
ここで、医師は、電子カルテアプリケーション起動ボタンを選択したものとして、以下、説明をする。
【００４３】
医師により、電子カルテアプリケーション起動ボタンが選択されると、ベッドサイド端末制御部４は、ベッドサイド端末１の識別子を取得し、ネットワーク２を介して、電子カルテサーバ３に当該ベッドサイド端末１の識別子を送出する（Ｓ２−１、及び、Ｓ２−２）。
【００４４】
ここで、ベッドサイド端末１の識別子は、ベッドサイド端末１の端末名、ＭＡＣアドレス（Ｍｅｄｉａ  Ａｃｃｅｓｓ  Ｃｏｎｔｒｏｌ  Ａｄｄｒｅｓｓ）、ＩＰアドレス（Ｉｎｔｅｒｎｅｔ  Ｐｒｏｔｏｃｏｌ  Ａｄｄｒｅｓｓ）等、ベッドサイド端末１を一意に識別出来るものであれば何でも良い。本実施例では、ベッドサイド端末１の識別子は、ＩＰアドレスを用いており、「１０．１０３．５７．１０１」であるものとして以下、説明をする。
【００４５】
電子カルテサーバ３は、ベッドサイド端末１からベッドサイド端末１の識別子を受信すると、ベッドサイド端末識別部６を起動する。
【００４６】
ベッドサイド端末識別部６は、ベッドサイド端末情報記憶部７を参照して、ベッドサイド端末１の識別子に対応する患者識別子を取得する（Ｓ２−３）。
【００４７】
ここで、図５にベッドサイド端末情報記憶部７の例を示す。
【００４８】
図５に例示したベッドサイド端末情報記憶部７は、ベッドサイド端末識別子フィールド、及び、患者名フィールドで構成されている。尚、図５に示した構成例は、本実施例を説明するのに最低限必要な例を示したものに過ぎず、これに限定するものではない。
【００４９】
ベッドサイド端末識別子フィールドは、前述したベッドサイド端末の識別子が記憶されるフィールドである。
【００５０】
患者名フィールドは、患者名が記憶されるフィールドである。尚、患者名フィールドに記憶される患者名は、患者を一意に識別出来るものであれば何でも良く、例えば、病院内で患者を識別する為に割り振られている患者ＩＤでも良く、患者名に限定するものではない。
【００５１】
図５に例示したベッドサイド端末情報記憶部７は、ベッドサイド端末識別子が「１０．１０３．５７．１０１」であるベッドサイド端末は、「病院太郎」の利用するものであり、「１０．１０３．５７．１０２」であるベッドサイド端末は、「病院次郎」の利用するものである事を示している。即ち、本実施例におけるベッドサイド端末は、一人の入院患者に対して、一台割り当てられている事になる。
【００５２】
また、本実施例におけるベッドサイド端末識別部６及びベッドサイド端末情報記憶部７をベッドサイド端末１に備えるようにし、ベッドサイド端末１側の処理で、患者名を取得し、取得した患者名を電子カルテサーバ３に送出するように構成しても良い。
【００５３】
本実施例における電子カルテサーバ３では、「１０．１０３．５７．１０１」というベッドサイド端末識別子をベッドサイド端末１から受信しており、ベッドサイド端末識別部６は、ベッドサイド端末識別子に対応する患者名、「病院太郎」をベッドサイド端末情報記憶部７から取得する。
【００５４】
ここで、入院患者は、転棟、転室等、移動する事が多い。従って、図５に例示したベッドサイド端末情報記憶部７は、頻繁に管理者によりメンテナンスされているが、メンテナンス漏れが発生する事が考えられる。そこで、医師により電子カルテアプリケーション５の起動を指示された際、患者を識別する識別子、例えば患者名を入力し、ベッドサイド端末情報記憶部７に記憶された内容と整合性チェックをしても良い。また、患者の診療情報には、患者の移動情報を保持している為、当該患者に移動が発生した場合、ベッドサイド端末情報記憶部７を更新するようにしても良い。
【００５５】
ベッドサイド端末識別部６で患者名を取得すると、カルテ情報取得部８が起動される。
【００５６】
カルテ情報取得部８は、電子カルテデータベース９を参照して、取得した患者名に関する診療情報を取得する（Ｓ２−４）。
【００５７】
ここで、電子カルテデータベース９は、患者に関わる電子カルテデータを含む診療情報を記憶するデータベースであり、本実施例では、一般的な電子カルテデータベースを利用している為、詳細な説明を省略する。
【００５８】
カルテ情報取得部８で診療情報を取得すると、カルテ情報送信部１０は、取得した診療情報をベッドサイド端末１に送出する（Ｓ２−５）。
【００５９】
ベッドサイド端末１は、電子カルテサーバ３から診療情報を受信すると、電子カルテアプリケーション５を起動する。
【００６０】
電子カルテアプリケーション５は、受信した診療情報に基づき、ベッドサイド端末１に対応付けられた患者に関する診療情報をベッドサイド端末１の表示装置に表示する（Ｓ２−６）。
【００６１】
ベッドサイド端末１に対応付けられた患者の診療情報が表示されると、医療スタッフは、電子カルテアプリケーション５を利用して、当該患者に関する電子カルテデータを含む診療情報の参照又は更新をする事が出来るようになる。
【００６２】
このように、本実施例における患者に関する電子カルテデータを含む診療情報の参照又は更新をするベッドサイド端末１の電子カルテアプリケーション５は、ベッドサイド端末１の患者に関する診療情報のみ参照又は更新が出来るようになっている。従って、医療スタッフは、ベッドサイド端末１の患者とは別の患者に関する診療情報を当該ベッドサイド端末１で参照又は更新する事が出来ず、医療スタッフがベッドサイド端末１の備える電子カルテアプリケーション５を利用して、患者の診療情報を参照又は更新をする際に、他人に当該患者の診療情報を覗き見される事を防ぐ事が出来る。
【実施例２】
【００６３】
以下、本発明の医療情報システムの他の実施例について、図６乃至図１２を用いて簡単に説明をする。
【００６４】
実施例１では、ベッドサイド端末に対応付けられた患者に関する診療情報のみをベッドサイド端末の電子カルテアプリケーションで参照又は更新可能とした。
【００６５】
ところで、入院患者の病室を訪問して診察する、所謂、回診をする際、医療スタッフは、ナースステーション、診察室等に設置された医療情報システムと接続された情報処理端末の電子カルテアプリケーションを利用して、診察予定である患者に関する診療情報、治療計画に基づく経過情報を予め確認している。そして、診察対象となる患者の経過情報に基づき、注目すべき検査歴データや指示すべき事項を検討している。
【００６６】
本実施例では、医療スタッフが回診前にナースステーションや診察室等で、電子カルテアプリケーションを用いて検討した時の電子カルテアプリケーションの状態を、ベッドサイド端末で再現させる処理について説明をする。
【００６７】
本実施例における医療情報システムの概要を図６に例示する。尚、実施例１と同様である構成要素は、図１で示したものと同一の符号を付している。
【００６８】
図６に示すように、本実施例に係る医療情報システムは、ベッドサイド端末１、ネットワーク２、電子カルテサーバ３、情報処理端末１１で構成されている。
【００６９】
ベッドサイド端末１は、実施例１で説明したものと同様のものであり、新たにアプリケーションデータ記憶部１８が追加されている。
【００７０】
アプリケーションデータ記憶部１８は、電子カルテアプリケーション５で利用するワークデータを記憶するものである。
【００７１】
電子カルテサーバ３は、実施例１で説明したものと同様のものであり、新たに状態情報受信処理部１４、状態情報記憶部１５、状態情報取得部１６、及び、状態情報送信部１７が追加されている。
【００７２】
状態情報記憶部１５は、医療スタッフ識別子、患者識別子、電子カルテアプリケーション種別、アプリケーションデータを含む状態情報を記憶するものである。
【００７３】
状態情報受信処理部１４は、状態情報を状態情報記憶部１５に記憶するものである。
【００７４】
状態情報取得部１６は、状態情報記憶部１５を参照して、状態情報を取得するものである。
【００７５】
状態情報送信部１７は、状態情報取得部１６で取得した状態情報をベッドサイド端末１に送出するものである。
【００７６】
情報処理端末１１は、電子カルテアプリケーション５、状態情報登録処理部１２、及び、アプリケーションデータ記憶部１３で構成される。電子カルテアプリケーション５、及び、アプリケーションデータ記憶部１３は、ベッドサイド端末１に備えるものとレコード構成は同様であるが、一患者のデータのみ記憶するものである。
【００７７】
状態情報登録処理部１２は、医療スタッフの指示に基づき、アプリケーションデータ記憶部１３に記憶する状態情報を電子カルテサーバ３に送出するものである。
【００７８】
次に、本実施例における医療情報システムの処理について説明をする。
【００７９】
本実施例では、ナースステーションに設置された情報処理端末１１の電子カルテアプリケーション５を用いて、回診前の検討をした医師Ａが、回診先の患者、「病院太郎」のベッドサイド端末１の電子カルテアプリケーション５を利用した時の処理について説明をする。尚、本実施例におけるナースステーションに設置された情報処理端末１１の電子カルテアプリケーション５は、複数患者の診療情報の参照や更新が出来るものとして以下、説明をする。
【００８０】
図７及び図８は、本実施例における医療情報システムの処理をフローチャートで示したものである。
【００８１】
図７は、医師Ａがナースステーションに設置された情報処理端末１１を用いて回診前の検討をした際の処理を示したものであり、図８は、医師Ａが回診先の患者「病院太郎」のベッドサイド端末１で電子カルテアプリケーション５を利用した際の処理を示したものである。
【００８２】
医師Ａは、ナースステーションに設置された情報処理端末１１の電子カルテアプリケーション５を用いて回診前の検討をしている。
【００８３】
ここで、情報処理端末１１の表示装置に表示される電子カルテアプリケーション５の画面例を図９に示す。
【００８４】
本実施例における電子カルテアプリケーション５は、複数患者の診療情報の参照や更新の出来るものであり、図９（ａ）及び図９（ｂ）に例示するように情報処理端末１１の表示装置に複数患者の診療情報を表示する事が出来る。
【００８５】
図９では、医師Ａは、病院太郎、及び、病院次郎の診療情報を参照している事を示し、図９（ａ）では、病院太郎の診療情報が情報処理端末１１の表示装置に表示されている事を示している。ここで、患者の切り替えは、タブの切り替えで出来るようになっており、図９（ａ）に示す病院次郎タブを選択すると、図９（ｂ）に例示する画面に切り換わる。図９（ｂ）に例示する画面は、病院次郎に関する診療情報が表示されている事を示すものである。
【００８６】
図９（ａ）では、医師Ａは、病院太郎の２００３年７月３０日、及び２００４年３月２日の検査結果、即ち検査歴情報を参照している事が分かる（検査歴フィールド）。また、処方オーダを作成中であり、ＢＢＢＢという薬品を選択し、1日３回という用法の臨時処方を編集中である（処方オーダフィールド）。更に、ＡＡＡ剤３回分、ＢＢＢ剤３回分を含む処方オーダ、アレルギーＡ、アレルギーＢ、アレルギーＣを含む検査オーダを編集済みである事が分かる（今回カルテ記述フィールド）。
【００８７】
同様に、図９（ｂ）では、医師Ａは、病院次郎の実施状況を参照しており（実施状況フィールド）、ガーゼ交換を含む処置オーダ、Ｘ線撮影を含む放射線オーダを編集済み（今回カルテ記述フィールド）である事が分かる。ここで、図９（ａ）及び図９（ｂ）で、医師がカルテ保存ボタンを選択した場合、今回カルテ記述フィールドに入力された編集済みのオーダは、電子カルテデータとして、電子カルテデータベース９に格納される。従って、編集中のオーダについては、カルテ保存ボタンが選択された場合でも電子カルテデータベース９に格納されない。即ち、カルテ保存ボタンが選択された場合には、今回カルテ記述フィールドに記載された編集済みのオーダのみ電子カルテデータベース９に格納される。また、終了ボタンが選択されると、今回カルテ記述フィールドに編集済みのオーダが記載されていたとしても、電子カルテデータベース９を更新せず、電子カルテアプリケーション５を停止する。
【００８８】
ここで、電子カルテアプリケーション５での診療情報の表示方法、及び、診療情報を更新するオーダの編集方法については、公知の技術を用いており、上記に限定するものではない。
【００８９】
電子カルテアプリケーション５は、図９（ａ）及び図９（ｂ）に例示するように患者に関わる診療情報が参照又は更新される度に、参照又は更新されるデータをアプリケーションデータ記憶部１３に格納している。つまり、電子カルテアプリケーション５を用いて、医師Ａが参照したり、入力したりするデータは、アプリケーションデータ記憶部１３に格納されている。
【００９０】
ここで、図１０にアプリケーションデータ記憶部１３の例を示す。
【００９１】
図１０に例示したアプリケーションデータ記憶部１３は、利用者ＩＤフィールド、患者名フィールド、アプリケーション種別フィールド、及び、アプリケーションデータフィールドで構成されている。尚、図１０に示した構成例は、本実施例を説明するのに最低限必要な例を示したものに過ぎず、これに限定するものではない。また、本実施例では、上記利用者ＩＤ、患者名、アプリケーション種別、及びアプリケーションデータを総称して、状態情報と定義する。
【００９２】
利用者ＩＤフィールドは、医療スタッフの識別子が記憶されるフィールドである。
【００９３】
患者名フィールドは、患者名が記憶されるフィールドである。尚、実施例１にも示したように、患者を一意に識別出来るものであれば、これに限定するものではない。
【００９４】
アプリケーション種別フィールドは、電子カルテアプリケーション５の配下で動作するアプリケーションの種別が記憶されるフィールドである。
【００９５】
アプリケーションデータフィールドは、前記アプリケーションで利用されるデータが記憶されるフィールドである。
【００９６】
図９（ａ）及び図９（ｂ）に例示したように病院太郎、病院次郎という患者の診療情報を医師Ａが参照している場合、情報処理端末１１のアプリケーションデータ記憶部１３には、図１０に例示するように状態情報が記憶される。
【００９７】
図１０における利用者ＩＤフィールドには、電子カルテアプリケーション５を利用している医療スタッフの識別子が記憶されており、ここでは、「医師Ａ」が記憶されている。また、医師Ａは、病院太郎及び病院次郎の診療情報を参照しており、「病院太郎」及び「病院次郎」が患者名フィールドに夫々記憶されている。更に、病院太郎に関する表示画面では、検査歴フィールドで、「２００３年７月３０日」、「２００４年３月２日」の検査歴情報を参照しており、処方オーダフィールドで、「臨時処方」のオーダを編集中であり、今回カルテ記述フィールドで、「処方オーダ」、「検査オーダ」が編集済みとなっている。従って、図１０に例示するように、アプリケーション種別「検査歴アプリ」、「処方オーダアプリ」、及び「今回カルテ記述アプリ」毎に、夫々参照、編集中、編集済みのデータがアプリケーションデータとして記憶される。同様に、病院次郎に関する表示画面では、実施状況フィールドで診療情報を参照、今回カルテ記述フィールドで「処置オーダ」、「放射線オーダ」が編集済みとなっており、アプリケーション種別フィールド、及びアプリケーションデータフィールドには、図１０に例示するように記憶される。ここで、例えば、病院太郎に関する表示画面の処方オーダフィールドで編集中の臨時処方の薬品を「ＢＢＢＢ」から「ＣＣＣＣ」に変更した場合、図１０の「医師Ａ」、「病院太郎」、「処方オーダアプリ」に対応するアプリケーションデータフィールドの「カーソル位置」は、「ＢＢＢＢ」から「ＣＣＣＣ」に変更される事になる。
【００９８】
このように、電子カルテアプリケーション５で利用されるデータは、全てアプリケーションデータ記憶部１３で記憶されている。
【００９９】
次に、図９及び図１０に例示した状態で、医師Ａにより状態情報登録ボタンが選択されたとする（Ｓ７−１）。
【０１００】
状態情報登録ボタンが選択されると、状態情報登録処理部１２が起動され、状態情報登録処理部１２は、アプリケーションデータ記憶部１３に記憶された状態情報を取得し、電子カルテサーバ３に当該状態情報を送出する（Ｓ７−２）。
【０１０１】
ここで、本実施例では、状態情報登録処理部１２は、アプリケーションデータ記憶部１３に記憶された状態情報を全て取得して、電子カルテサーバ３に送出しているが、例えば、現在参照中の患者に対応する状態情報に限定して電子カルテサーバ３に送出するようにしても良い。即ち、特定の患者に関する状態情報のみ取得し、電子カルテサーバ３に送出するようにしても良い。
【０１０２】
電子カルテサーバ３は、情報処理端末１１から状態情報を受信すると、状態情報受信処理部１４を起動する。
【０１０３】
状態情報受信処理部１４は、受信した状態情報を状態情報記憶部１５に格納し、正常に格納した旨、情報処理端末１１に通知する（Ｓ７−３）。本実施例における状態情報記憶部１５のレコードレイアウトは、アプリケーションデータ記憶部１３と同様のものであり、利用者ＩＤ及び患者名をキーとして構成されている。また、状態情報記憶部１５は、各医師、各患者に対する状態情報を記憶している。ここで、受信した状態情報を状態情報記憶部１５に格納する際、利用者ＩＤ及び患者名に対応する状態情報が既に存在する場合には、上書き更新をするようにしても構わない。
【０１０４】
情報処理端末１１は、電子カルテサーバ３の状態情報記憶部１５に状態情報が正常に格納された旨、受信すると、状態情報登録処理部１２を起動し、アプリケーションデータ記憶部１３に記憶した状態情報を削除する（Ｓ７−４）。ここで、上記のように、特定の患者に関する状態情報のみ電子カルテサーバ３に送出していた場合、当該特定の患者に関する状態情報のみを削除するようにしても良い。
【０１０５】
そして、状態情報登録処理部１２は、アプリケーションデータ記憶部１３の状態情報を削除すると、電子カルテアプリケーション５を停止させる（Ｓ７−５）。
【０１０６】
次に、医師Ａが病院太郎のベッドサイド端末１１の電子カルテアプリケーション５を用いて、病院太郎の診療情報を参照又は更新する際の処理について説明をする。
【０１０７】
医師Ａが病院太郎のベッドサイド端末１１で、実施例１で説明した手順で、電子カルテアプリケーション５を起動すると、ベッドサイド端末識別子、及び、医療スタッフ識別子を電子カルテサーバ３に送出する（Ｓ８−１、Ｓ８−２）。尚、医療スタッフ識別子は、図３に例示したメニュー画面のＩＤフィールドに入力されたＩＤを取得して、送出している。
【０１０８】
電子カルテサーバ３は、ベッドサイド端末識別子、及び、医療スタッフ識別子を受信すると、実施例１と同様に、ベッドサイド端末識別部６を起動し、ベッドサイド端末識別子に対応する患者名をベッドサイド端末情報記憶部７から取得する（Ｓ８−３）。
【０１０９】
ベッドサイド端末識別部６は、患者名を取得すると、状態情報取得部１６を起動し、状態情報取得部１６は、状態情報記憶部１５を参照して、医療スタッフ識別子、及び、患者名に対応する状態情報が存在するか否か判定する（Ｓ８−４）。即ち、「医師Ａ」、及び「病院太郎」に対応する状態情報が状態情報記憶部１５に記憶されているか否か判定する。
【０１１０】
図１０に示す例では、「医師Ａ」、及び「病院太郎」に対応する状態情報は存在しており、状態情報取得部１６は、当該状態情報を状態情報記憶部１５から取得する（Ｓ８−５）。
【０１１１】
そして、状態情報送信部１７は、取得した状態情報をベッドサイド端末１に送出する（Ｓ８−６）。
【０１１２】
ベッドサイド端末１は、状態情報を受信すると、ベッドサイド端末制御部４を起動し、ベッドサイド端末制御部４は、当該状態情報をアプリケーションデータ記憶部１８に格納する（Ｓ８−７）。
【０１１３】
本実施例では、図１１に例示するように、ベッドサイド端末１のアプリケーションデータ記憶部１８に格納される事になる。図１１では、病院太郎に関わる状態情報のみ格納されている。
【０１１４】
ベッドサイド端末制御部４は、受信した状態情報をアプリケーションデータ記憶部１８に格納すると、電子カルテアプリケーション５を起動する。
【０１１５】
電子カルテアプリケーション５は、起動する際、アプリケーションデータ記憶部１８を参照し、格納されている状態情報に基づいて、診療情報を表示する（Ｓ８−８）。
【０１１６】
そして、電子カルテアプリケーション５が起動されると、状態情報受信処理部１４は、ベッドサイド端末１に送出した状態情報に該当する状態情報を状態情報記憶部１５から削除する。
【０１１７】
本実施例では、電子カルテアプリケーション５が起動すると、図１２に例示するようにベッドサイド端末１の表示装置に表示画面が表示される。図１２では、病院太郎の診療情報のみ表示されている。また、病院太郎に関して、医師Ａが情報処理端末１１で状態情報登録ボタンを選択した時と同じ表示がベッドサイド端末１でもなされる為、情報処理端末１１で中断していた作業をベッドサイド端末１で再開するように、電子カルテアプリケーション５を利用する事が出来る。ここで、医師Ａが病院次郎のベッドサイド端末１で電子カルテアプリケーション５を起動した場合には、病院次郎に関して、医師Ａが情報処理端末１１で状態情報登録ボタンを選択した時と同じ表示が病院次郎のベッドサイド端末１でなされる事になる。
【０１１８】
また、Ｓ８−４で、対応する状態情報が存在しない場合には、実施例１と同様に、電子カルテデータベース９からベッドサイド端末１に対応する患者の診療情報を取得して、電子カルテアプリケーション５で表示する事になる（Ｓ８−９乃至Ｓ８−１１）。従って、ベッドサイド端末１の電子カルテアプリケーション５では、ベッドサイド端末１に対応付けられた患者の診療情報のみ参照又は更新出来る事になる。
【０１１９】
このように、本実施例における医療情報システムでは、ナースステーション等で、医療スタッフが利用していた電子カルテアプリケーションの状態を記憶しておき、ベッドサイド端末で電子カルテアプリケーションを起動した際、ナースステーション等での状態を再現する事が出来る。しかも、ベッドサイド端末に対応付けられた患者に関する状態情報のみ再現する事が出来る。従って、医療スタッフがベッドサイドで診察する時に、回診予定の入院患者に関して事前に検討した事項を素早く想起させる事や、当該入院患者の診療情報への入力作業を素早くする事が出来る。更に、ベッドサイド端末では、当該ベッドサイド端末に対応付けられた患者以外の診療情報の参照や更新が出来ない為、患者のプライバシに関わる診療情報を他人に見られる事を防止する。
【０１２０】
更に、医師は、急患等の為、診察予定患者の診察が出来ない場合がある。従って、患者に関する状態情報を保存していたとしても、ベッドサイド端末で利用しなかった場合には、電子カルテサーバに古い状態情報が残ってしまう。そこで、一定期間を超えて記憶された状態情報が存在する場合には、当該状態情報を削除する構成としても良い。この削除タイミングは、バッチ処理であってもオンライン処理であっても良い。
【０１２１】
また、患者に関する状態情報が状態情報記憶部に格納された場合には、電子カルテデータベースの当該患者に関する診療情報の更新を制限するようにしても良い。即ち、当該患者の診療情報に対して排他をかけるようにしても良い。そして、状態情報記憶部から当該状態情報が削除された際、当該排他の解除をしても良い。このような構成にする事で、状態情報を格納してから、ベッドサイド端末で状態情報を復元するまでに、他の医師等により患者の診療情報に更新がなされないように出来る。従って、ベッドサイド端末で状態情報を復元した際、復元した診療情報と電子カルテデータベースに記憶された診療情報に矛盾がなくなる。
【０１２２】
以上の実施例１及び実施例２を含む実施形態に関し、更に以下の付記を開示する。
【０１２３】
（付記１）  患者の診療情報を記憶する電子カルテデータベースを備えた電子カルテサーバと、当該診療情報の参照又は更新をする電子カルテアプリケーションを備えたベッドサイド端末とをネットワークで接続した医療情報システムにおいて、
前記ベッドサイド端末と前記患者とを対応付けて記憶したベッドサイド端末情報記憶部と、
前記ベッドサイド端末情報記憶部を参照して、ベッドサイド端末に対応する患者を特定するベッドサイド端末識別手段と、
前記患者に対応する診療情報を前記電子カルテデータベースから取得するカルテ情報取得手段と、
当該診療情報に基づき前記電子カルテアプリケーションを起動するベッドサイド端末制御手段と、
を備えた事を特徴とする医療情報システム。
【０１２４】
（付記２）  患者の診療情報を記憶する電子カルテデータベースを備えた電子カルテサーバと、前記患者の診療情報の参照又は更新をする第一の電子カルテアプリケーションを備えたベッドサイド端末と、前記患者の診療情報の参照又は更新をする第二の電子カルテアプリケーションを備えた情報処理端末とをネットワークで接続した医療情報システムにおいて、
前記情報処理端末は、
前記第二の電子カルテアプリケーションで前記患者の診療情報を参照又は更新している際の状態情報を前記電子カルテサーバに送出する状態情報登録処理手段を備え、
前記電子カルテサーバは、
前記患者毎に前記状態情報を記憶する状態情報記憶部と、
ベッドサイド端末と患者とを対応付けて記憶したベッドサイド端末情報記憶部と、
前記状態情報を前記情報処理端末から受信し、当該状態情報を前記状態情報記憶部に格納する状態情報受信処理手段と、
前記ベッドサイド端末情報記憶部を参照して、前記ベッドサイド端末に対応する患者を特定するベッドサイド端末識別手段と、
前記患者に対応する状態情報を前記状態情報記憶部から取得し、前記ベッドサイド端末に送出する状態情報取得手段とを備え、
前記ベッドサイド端末は、
前記状態情報を前記電子カルテサーバから受信し、当該状態情報に基づき前記第一の電子カルテアプリケーションを起動するベッドサイド端末制御手段を備える事を特徴とする医療情報システム。
【０１２５】
（付記３）  患者の診療情報を記憶する電子カルテデータベースを備えた電子カルテサーバと、前記患者の診療情報の参照又は更新をする第一の電子カルテアプリケーションを備えた情報処理端末とをネットワークで接続された医療情報システムにおける前記患者の診療情報の参照又は更新をする第二の電子カルテアプリケーションを備えたベッドサイド端末であって、
前記第一の電子カルテアプリケーションで前記患者の診療情報を参照又は更新している際の状態情報を前記電子カルテサーバから受信し、当該状態情報に基づき前記第二の電子カルテアプリケーションを起動するベッドサイド端末制御手段を備える事を特徴とする医療システムにおけるベッドサイド端末。
【０１２６】
（付記４）  前記患者の診療情報の参照又は更新をする第一の電子カルテアプリケーションを備えたベッドサイド端末と、前記患者の診療情報の参照又は更新をする第二の電子カルテアプリケーションを備えた情報処理端末とをネットワークで接続した医療情報システムにおける患者の診療情報を記憶する電子カルテデータベースを備えた電子カルテサーバであって、
前記第二の電子カルテアプリケーションで前記患者の診療情報を参照又は更新している際の状態情報を前記患者毎に記憶する状態情報記憶部と、
前記状態情報を前記情報処理端末から受信し、当該状態情報を前記状態情報記憶部に格納する状態情報受信処理手段と、
ベッドサイド端末と患者とを対応付けて記憶したベッドサイド端末情報記憶部と、
前記ベッドサイド端末情報記憶部を参照して、前記ベッドサイド端末に対応する患者を特定するベッドサイド端末識別手段と、
前記特定した患者に対応する状態情報を前記状態情報記憶部から取得し、前記ベッドサイド端末に送出する状態情報取得手段と、
を備える事を特徴とする医療システムにおける電子カルテサーバ。
【０１２７】
（付記５）  患者の診療情報を記憶する電子カルテデータベースを備えた電子カルテサーバとネットワークで接続された医療情報システムにおけるベッドサイド端末の電子カルテアプリケーション起動方法であって、
ベッドサイド端末と患者とを対応付けて記憶したベッドサイド端末情報記憶部を備え、
前記ベッドサイド端末情報記憶部を参照して、ベッドサイド端末に対応する患者を特定するステップと、
前記患者に対応する診療情報を前記電子カルテデータベースから取得するステップと、
当該診療情報に基づき前記電子カルテアプリケーションを起動するステップと、
を実行する事を特徴とする医療情報システムにおけるベッドサイド端末の電子カルテアプリケーション起動方法。
【０１２８】
（付記６）  患者の診療情報を記憶する電子カルテデータベースを備えた電子カルテサーバと、前記患者の診療情報の参照又は更新をする第一の電子カルテアプリケーションを備えたベッドサイド端末と、前記患者の診療情報の参照又は更新をする第二の電子カルテアプリケーションを備えた情報処理端末とをネットワークで接続した医療情報システムにおける前記ベッドサイド端末の電子カルテアプリケーション起動方法であって、
前記情報処理端末は、
前記第二の電子カルテアプリケーションで前記患者の診療情報を参照又は更新している際の状態情報を前記電子カルテサーバに送出するステップを実行し、
前記電子カルテサーバは、
前記患者毎に前記状態情報を記憶する状態情報記憶部と、
ベッドサイド端末と患者とを対応付けて記憶したベッドサイド端末情報記憶部と、を備え、
前記状態情報を前記情報処理端末から受信し、当該状態情報を前記患者に対応付けて前記状態情報記憶部に格納するステップと、
前記ベッドサイド端末情報記憶部を参照して、前記ベッドサイド端末に対応する患者を特定するステップと、
前記特定した患者に対応する状態情報を前記状態情報記憶部から取得し、前記ベッドサイド端末に送出するステップと、を実行し、
前記ベッドサイド端末は、
前記状態情報を前記電子カルテサーバから受信し、当該状態情報に基づき前記第一の電子カルテアプリケーションを起動するステップを実行する事を特徴とする医療情報システムにおけるベッドサイド端末の電子カルテアプリケーション起動方法。
【０１２９】
（付記７）  前記ベッドサイド端末制御手段は、
前記取得した状態情報を前記状態情報記憶部から削除する事を特徴とする付記２記載の医療情報システム。
【０１３０】
（付記８）  前記電子カルテサーバは、更に、
前記患者に対応する前記状態情報が前記状態情報記憶部に記憶されている場合、当該患者の診療情報を前記電子カルテデータベースを参照して特定し、当該診療情報への更新を禁止する排他制御部を備える事を特徴とする付記２記載の医療情報システム。
【０１３１】
（付記９）  前記電子カルテサーバは、更に、
所定期間を超えて、前記患者に対応する状態情報が前記状態情報記憶部に記憶されている場合、当該状態情報を削除する状態情報削除部を備える事を特徴とする付記２記載の医療情報システム。
【図面の簡単な説明】
【０１３２】
【図１】実施例１に係る医療情報システムの概要を示す全体構成図である。
【図２】実施例１に係る医療情報システムの処理のフローチャートである。
【図３】メニュー画面の表示例を示す図である。
【図４】医療スタッフ向け診療情報メニュー画面の表示例を示す図である。
【図５】ベッドサイド端末情報記憶部のレコード構成例を示す図である。
【図６】実施例２に係る医療情報システムの概要を示す全体構成図である。
【図７】実施例２に係る情報処理端末で電子カルテアプリケーションを一時ログオフする処理のフローチャートである。
【図８】実施例２に係るベッドサイド端末で電子カルテアプリケーションを起動する処理のフローチャートである。
【図９】実施例２に係る電子カルテアプリケーションの表示例を示す図である。
【図１０】実施例２に係るアプリケーションデータ記憶部のレコード構成例を示す図である。
【図１１】実施例２に係るベッドサイド端末のアプリケーションデータ記憶部のレコード構成例を示す図である。
【図１２】実施例２に係るベッドサイド端末の電子カルテアプリケーションの表示例を示す図である。
【符号の説明】
【０１３３】
１        ベッドサイド端末
２        ネットワーク
３        電子カルテサーバ
１１      情報処理端末
【図１】
2005275607.tif 000003
【図２】
2005275607.tif 000004
【図３】
2005275607.tif 000005
【図４】
2005275607.tif 000006
【図５】
2005275607.tif 000007
【図６】
2005275607.tif 000008
【図７】
2005275607.tif 000009
【図８】
2005275607.tif 000010
【図９】
2005275607.tif 000011
【図１０】
2005275607.tif 000012
【図１１】
2005275607.tif 000013
【図１２】
2005275607.tif 000014